(57)【要約】【課題】本発明の目的は、耐衝撃性の向上を図った電子機器を得ることにある。【解決手段】電子機器１は、周壁１６を有する第１の筐体７と、第１の筐体７に収容されるとともに四つの側面部８ａ〜８ｄを有する表示装置８と、第２の筐体４と、第１の筐体７を第２の筐体４に対して回動可能に支持するヒンジ軸２３と、ヒンジ軸２３に連結されるとともに第１の筐体７内に延びるブラケット２５であって、表示装置８の一つの側面部８ｄに沿って延びるとともに表示装置８に固定される保持部３１と、表示装置８の四つの側面部８ａ〜８ｄとこの側面部に対向する周壁１６の壁部と間に形成される領域５６を外れた第１の筐体７の周縁部に固定される固定部３３とを有するブラケット２５とを具備する。【選択図】      図４
2007328613.tif 000002
【特許請求の範囲】
【請求項１】
周壁を有する第１の筐体と、
上記第１の筐体に収容されるとともに、四つの側面部を有する表示装置と、
第２の筐体と、
上記第１の筐体を上記第２の筐体に対して回動可能に支持するヒンジ軸と、
上記ヒンジ軸に連結されるとともに上記第１の筐体内に延びるブラケットであって、上記表示装置の一つの側面部に沿って延びるとともに上記表示装置に固定される保持部と、上記表示装置の四つの側面部とこの側面部に対向する上記周壁の壁部との間に形成される領域を外れた上記第１の筐体の周縁部に固定される固定部とを有するブラケットと、
を具備することを特徴とする電子機器。
【請求項２】
請求項１に記載の電子機器において、
上記ブラケットは、上記ヒンジ軸に連結される端部を有し、上記ブラケットの保持部の肉厚は、上記ヒンジ軸に連結された端部の肉厚に比べて小さいことを特徴とする電子機器。
【請求項３】
周壁を有する第１の筐体と、
上記第１の筐体に収容されるとともに、四つの側面部を有する表示装置と、
第２の筐体と、
上記第１の筐体を上記第２の筐体に対して回動可能に支持するヒンジ軸と、
上記第１の筐体内に延びるブラケットであって、上記ヒンジ軸に連結される端部と、上記表示装置の一つの側面部に沿って延びるとともに上記表示装置に固定される保持部と、上記第１の筐体に固定される固定部とを有し、かつ、上記保持部の肉厚が上記ヒンジ軸に連結される端部の肉厚に比べて小さいことを特徴とする電子機器。
【請求項４】
請求項２または請求項３に記載の電子機器において、
上記ブラケットは、少なくとも二つの上記固定部を有し、第１の上記固定部は、上記ヒンジ軸に連結された端部と上記保持部との間に設けられ、第２の上記固定部は、上記ヒンジ軸に連結された端部とは反対側のこのブラケットの端部に設けられることを特徴とする電子機器。
【請求項５】
請求項４に記載の電子機器において、
上記第１の固定部と上記第２の固定部との間のブラケットの肉厚は、上記ヒンジ軸に連結された端部と上記第１の固定部との間のこのブラケットの肉厚に比べて小さいことを特徴とする電子機器。
【請求項６】
請求項５に記載の電子機器において、
上記ブラケットを上記表示装置に固定するねじを備え、
上記ねじは、上記ブラケットが沿って延びる上記表示装置の側面部に直交する方向に沿って上記表示装置に係合することを特徴とする電子機器。
【請求項７】
請求項６に記載の電子機器において、
上記ブラケットは上記ねじが挿通される孔を有し、上記第１の筐体の周壁は上記ブラケットの孔に対向する領域に切欠きを有することを特徴とする電子機器。
【請求項８】
請求項７に記載の電子機器において、
上記第１の筐体は、上記表示装置の背後に位置する背壁、および上記周壁を有するカバーと、上記カバーに組み合わされるマスクとを有し、上記マスクは、上記カバーの周壁に外側から対向するとともに上記切欠きを覆う他の周壁を有することを特徴とする電子機器。
【請求項９】
表示画面と、四つの側面部とを有する表示装置と、
上記表示装置の背後に位置する背壁と上記背壁の周縁部から起立するとともに上記四つの側面部を取り囲む周壁とを有するカバーと、上記カバーに組み合わされるとともに上記表示装置の表示画面に対向するマスクとを有する第１の筐体と、
第２の筐体と、
上記第１の筐体を上記第２の筐体に対して回動可能に連結するヒンジ機構と、を具備し、
上記カバーは、上記表示装置の背面に対向する第１の領域と、上記表示装置の四つの側面部とこの側面部に対向する上記周壁の壁部との間に形成される第２の領域と、上記第１の領域および第２の領域を外れた第３の領域とを有し、
上記ヒンジ機構は、上記第１の筐体内に延びるブラケットを備え、このブラケットは、上記表示装置の一つの側面部に沿って延びるとともに上記表示装置に固定される保持部と、上記カバーの第３の領域に固定される固定部とを有することを特徴とする電子機器。
【請求項１０】
請求項９に記載の電子機器において、
上記ブラケットを上記表示装置に固定するねじを備え、
上記ブラケットは上記ねじが挿通される孔を有し、上記第１の筐体の周壁は上記ブラケットの孔に対向する領域に切欠きを有し、
上記ねじは、上記切欠きを通じて上記表示装置の側面部に直交する方向に沿って上記表示装置に取り付けられることを特徴とする電子機器。
【請求項１１】
請求項１０に記載の電子機器において、
上記マスクは、上記カバーの周壁に外側から対向するとともに上記切欠きを覆う他の周壁を有することを特徴とする電子機器。
【請求項１２】
請求項１、請求項３および請求項９のいずれかに記載の電子機器において、
上記表示装置の側面部と上記第１の筐体の周壁との間に形成されるとともに、上記表示装置の側面部に対向するリブと、
上記リブと上記表示装置の側面部との間に介在される緩衝部材と、
を備えることを特徴とする電子機器。
【請求項１３】
請求項１２に記載の電子機器において、
上記ブラケットは、上記保持部に設けられ、上記表示装置から離間するとともに上記第１の筐体の周壁に沿って延び、かつ、上記周壁に固定される他の固定部を有することを特徴とする電子機器。
【請求項１４】
請求項１３に記載の電子機器において、
上記第１の筐体の周壁は、この第１の筐体の内側を向いて突出する突起を有し、
上記ブラケットの他の固定部は、上記突起に係合する孔を有することを特徴とする電子機器。
【請求項１５】
請求項１、請求項３および請求項９のいずれかに記載の電子機器において、
上記ブラケットは、ばね性を有することを特徴とする電子機器。
【発明の詳細な説明】
【技術分野】
【０００１】
本発明は、表示ユニットを有する電子機器に係り、特に表示ユニットに搭載された表示装置を保持する固定構造に関する。
【背景技術】
【０００２】
例えばポータブルコンピュータのような電子機器は、表示ユニットを備える。表示ユニットは、ハウジングと、このハウジングに収容された表示装置と、この表示装置をハウジングに固定するブラケットとを備える。
【０００３】
例えば、ハウジングと表示装置との間の寸法差を吸収するブラケットを備えた電子機器が提供されている（例えば、特許文献１参照）。特許文献１に記載のブラケットは、表示装置に固定される第１の部分と、ハウジングに固定される第２の部分と、この第１の部分を第２の部分に繋ぐ連結部とを有する。  
例えば特許文献１に記載の電子機器が表示ユニットを支持するヒンジ機構を有する場合、上記ハウジングには上記ブラケットとは別にそのヒンジ機構に連結されたヒンジブラケットが固定される。
【０００４】
例えば、ＬＣＤ支持部材によってヒンジ機構に連結されたブラケットが補強された情報機器が提供されている（例えば、特許文献２参照）。特許文献２に記載のＬＣＤ支持部材は、ＬＣＤとハウジングに固定される。さらにＬＣＤ支持部材は、ヒンジブラケットの端部に接続されている。
【特許文献１】米国特許第６９９２８８４Ｂ２号明細書
【特許文献２】米国特許第６４３００３９Ｂ２号明細書
【発明の開示】
【発明が解決しようとする課題】
【０００５】
例えば特許文献１に記載のブラケットの第２の部分（すなわちハウジングへの固定部）は、表示装置のすぐ側方に取付孔を有する。ブラケットの取付孔に挿入されたねじがハウジングのねじ穴に係合することで、ブラケットはハウジングに固定される。このような電子機器を例えば誤って床や机の上に落としてしまい、表示装置に横ズレ方向の荷重が加わった場合、表示装置と上記ねじとの間に衝撃荷重が作用し、表示装置が破損に至るおそれがある。
【０００６】
例えば特許文献２に記載のＬＣＤ支持部材も、表示装置のすぐ側方に取付ねじが挿入される取付孔を有する。このような電子機器を誤って落としてしまった場合も同様に、ＬＣＤとねじとの間に衝撃荷重が作用し、ＬＣＤが破損に至るおそれがある。
【０００７】
本発明の目的は、耐衝撃性の向上を図った電子機器を得ることにある。
【課題を解決するための手段】
【０００８】
本発明の一つの形態に係る電子機器は、周壁を有する第１の筐体と、第１の筐体に収容されるとともに四つの側面部を有する表示装置と、第２の筐体と、第１の筐体を第２の筐体に対して回動可能に支持するヒンジ軸と、ヒンジ軸に連結されるとともに第１の筐体内に延びるブラケットであって、表示装置の一つの側面部に沿って延びるとともに表示装置に固定される保持部と、表示装置の四つの側面部とこの側面部に対向する上記周壁の壁部との間に形成される領域を外れた第１の筐体の周縁部に固定される固定部とを有するブラケットとを具備する。
【発明の効果】
【０００９】
この構成によれば、表示装置へ伝わる衝撃を緩和することができ、電子機器の耐衝撃性が向上する。
【発明を実施するための最良の形態】
【００１０】
以下に本発明の実施の形態を、ポータブルコンピュータに適用した図面に基づいて説明する。  
図１ないし図１７は、本発明の第１の実施形態に係る電子機器としてのポータブルコンピュータ１を開示している。図１に示すように、ポータブルコンピュータ１は、本体２と表示ユニット３とを備えている。
【００１１】
本体２は、本体筐体４を有する。本体筐体４は、請求項でいう第２の筐体の一例である。本体筐体４は、上壁４ａ、周壁４ｂ、および図示しない下壁を有する箱状に形成されている。本体２は、本体筐体４の内部に回路基板および複数の電子部品を搭載している。本体筐体４の上壁４ａは、キーボード５を支持している。
【００１２】
図１に示すように、表示ユニット３は、ディスプレイハウジング７と、このディスプレイハウジング７に収容された表示装置８とを有する。ディスプレイハウジング７は、第１の筐体の一例である。ディスプレイハウジング７は、窓部７ａを有する。
【００１３】
表示装置８の一例は、例えば液晶ディスプレイ、プラズマディスプレイ、有機エレクトリックルミネッセンスディスプレイ、または表面電界ディスプレイなどが挙げられる。表示装置８は、表示画面９を有する。表示画面９は、窓部７ａを通じてディスプレイハウジング７の外部に露出されている。
【００１４】
図２および図４に示すように、表示装置８は、矩形をした板状に形成され、第１ないし第４からなる四つの側面部８ａ，８ｂ，８ｃ，８ｄを有する。第１の側面部８ａは、ポータブルコンピュータ１の幅方向に延び、表示画面９がユーザーに向かい合う状態で表示装置８の上縁となる。第２の側面部８ｂは、第１の側面部８ａに平行に延び、表示装置８の下縁となる。第３および第４の側面部８ｃ，８ｄは、それぞれ第１の側面部８ａと直交する方向に延び、それぞれ表示装置８の左縁または右縁となる。  
図４に示すように、表示装置８は、第１ないし第４の側面部８ａ，８ｂ，８ｃ，８ｄにより形成される第１ないし第４の角部１０ａ，１０ｂ，１０ｃ，１０ｄを有する。
【００１５】
図２に示すように、ディスプレイハウジング７は、カバー１２とマスク１３とを有する。マスク１３がカバー１２に組み合わされると、両者は協働して箱状のディスプレイハウジング７を形成する。  
図４は、カバー１２と表示装置８との間係を模式的に示す図である。カバー１２は、背壁１５と周壁１６とを有する。背壁１５は、表示装置８の背後に位置するとともに、表示装置８の背面（すなわち表示画面９とは反対の面）に対向している。背壁１５は、表示装置８の外形より大きく形成されている。
【００１６】
周壁１６は、背壁１５の周縁部から起立するとともに、表示装置８の側面部８ａ，８ｂ，８ｃ，８ｄを取り囲んでいる。詳しくは、周壁１６は、上周壁１６ａ、下周壁１６ｂ、左周壁１６ｃ、および右周壁１６ｄを有する。上周壁１６ａおよび下周壁１６ｂは、ポータブルコンピュータ１の幅方向に沿って互いに平行に延びている。左周壁１６ｃおよび右周壁１６ｄは、上周壁１６ａに直交する方向に沿って延びている。左右周壁１６ｃ，１６ｄは、背壁１５の外縁に比べてわずかにカバー１２の内側に入り込んだ位置に形成されている。図４に示すように、カバー１２は、周壁１６ａ，１６ｂ，１６ｃ，１６ｄにより形成される第１ないし第４の角部１７ａ，１７ｂ，１７ｃ，１７ｄを有する。
【００１７】
カバー１２の上周壁１６ａは、この上周壁１６ａの中央部に形成されるとともに表示装置８の第１の側面部８ａに対向する第１の壁部１６ａａと、この上周壁１６ａの左右両端部に形成されるとともに、表示装置８に対向しない第２の壁部１６ａｂとを有する。カバー１２の下周壁１６ｂは、この下周壁１６ｂの中央部に形成されるとともに表示装置８の第２の側面部８ｂに対向する第１の壁部１６ｂａと、この下周壁１６ｂの左右両端部に形成されるとともに、表示装置８に対向しない第２の壁部１６ｂｂとを有する。
【００１８】
カバー１２の左周壁１６ｃは、この左周壁１６ｃの中央部に形成されるとともに表示装置８の第３の側面部８ｃに対向する第１の壁部１６ｃａと、この左周壁１６ｃの上下両端部に形成されるとともに、表示装置８に対向しない第２の壁部１６ｃｂとを有する。カバー１２の右周壁１６ｄは、この右周壁１６ｄの中央部に形成されるとともに表示装置８の第４の側面部８ｄに対向する第１の壁部１６ｄａと、この右周壁１６ｄの上下両端部に形成されるとともに、表示装置８に対向しない第２の壁部１６ｄｂとを有する。
【００１９】
カバー１２の下端部には、第１ないし第３の突出部１８ａ，１８ｂ，１８ｃが設けられている。第１の突出部１８ａは、カバー１２の下端部の中央部からカバー１２の外側に突出している。第１の突出部１８ａには、電子部品の一例としてのインバータ１９が収容されている。第２および第３の突出部１８ｃ，１８ｃは、カバーの左右両端部からそれぞれカバー１２の外側に突出している。
【００２０】
図１に示すように、ポータブルコンピュータ１は、ディスプレイハウジング７を本体筐体４に対して回動可能に連結する一対のヒンジ機構２１ａ，２１ｂを有する。図３に示すように、ヒンジ機構２１ａ，２１ｂは、それぞれヒンジ軸２３、第１のブラケット２４、および第２のブラケット２５を有する。なお一対のヒンジ機構２１ａ，２１ｂは、その構造が互いに左右逆であること除いて同じであるので、本明細書ではポータブルコンピュータ１の右端部に設けられたヒンジ機構２１ｂを取り上げて詳述し、他方のヒンジ機構２１ａについては同一の符号を付してその説明を省略する。
【００２１】
図５に示すように、ヒンジ軸２３は、ディスプレイハウジング７と本体筐体４との間に設けられている。第１のブラケット２４は、一端部がヒンジ軸２３に連結されるとともに、他端部が本体筐体４に固定されている。第２のブラケット２５は、一端部がヒンジ軸２３に連結されているとともに、他端部がディスプレイハウジング７内に延び、ディスプレイハウジング７に固定されている。
【００２２】
第１および第２のブラケット２４，２５は、ヒンジ軸２３を介して互いに回動可能である。ヒンジ軸２３は、第１および第２のブラケット２４，２５を介して、ディスプレイハウジング７を本体筐体４に対して回動可能に支持する。
【００２３】
次に、図５ないし図１２を参照して第２のブラケット２５（以後、単にブラケット２５）について詳しく説明する。なお他方のヒンジ機構２１ａに含まれるブラケット２５にはその構造が左右逆であること除いて同じである。  
ブラケット２５は、ディスプレイハウジング７内をヒンジ軸２３の軸方向に直交する方向に沿って延びている。ブラケット２５の一例は、板金で形成され、弾性を有する。ブラケット２５は、表示装置８に固定される保持部３１と、ディスプレイハウジング７に固定される第１ないし第４の固定部３２，３３，３４，３５とを有する。
【００２４】
図５に示すように、ブラケット２５の保持部３１は、表示装置８の第４の側面部８ｄに沿って延びている。保持部３１は、第４の側面部８ｄの略全域に亘って第４の側面部８ｄに対向している。表示装置８の第４の側面部８ｄは、その両端部にそれぞれねじ穴３７を有する。ブラケット２５の保持部３１は、ねじ穴３７に対向する領域にねじ挿通孔３１ａを有する。
【００２５】
ブラケット２５は、表示装置８にねじ３８で固定される。具体的には、ねじ３８がブラケット２５のねじ挿通孔３１ａに挿通され、表示装置８のねじ穴３７に係合することで、ブラケット２５は表示装置８に固定される。図７および図９に示すように、ねじ３８は、表示装置８の第４の側面部８ｄに直交する方向に沿ってねじ挿通孔３１ａおよびねじ穴３７に取り付けられる。すなわち、ねじ３８は、表示装置８に対して側方から取り付けられる。
【００２６】
図７および図９に示すように、カバー１２の右周壁１６ｄは、ブラケット２５のねじ挿通孔３１ａに対向する領域に切欠き３９を有する。切欠き３９は、ねじ３８より大きく形成されている。ねじ３８は、切欠き３９を通じてカバー１２の外部からブラケット２５のねじ挿通孔３１ａに挿入される。
【００２７】
図７および図８に示すように、ブラケット２５の第１の固定部３２は、ヒンジ軸２３に連結された端部４１と保持部３１との間に設けられている。詳しくは、第１の固定部３２は、カバー１２の右周壁１６ｄの第２の壁部１６ｄｂに沿って設けられるとともに、右周壁１６ｄに対向している。第１の固定部３２は、ねじ孔３２ａを有する。
【００２８】
カバー１２の右周壁１６ｄには、第１の固定部３２のねじ孔３２ａに対向するねじ挿通孔４３が形成されている。ねじ４４がカバー１２のねじ挿通孔４３に挿通され、ブラケット２５のねじ孔３２ａに係合することで、第１の固定部３２はカバー１２に固定される。図７に示すように、ねじ４４は、右周壁１６ｄに直交する方向、すなわちカバー１２の側方から取り付けられる。
【００２９】
図８に示すように、第１の固定部３２と保持部３１との間には、第１の緩衝部４６が設けられている。第１の緩衝部４６は、表示装置８の第４の側面部８ｄと交差する方向に沿って延びるとともに、表示装置８から離間している。
【００３０】
図５に示すように、ブラケット２５の第２の固定部３３は、ヒンジ軸２３から最も離れたディスプレイハウジング７の周縁部に固定される。すなわち、第２の固定部３３は、ヒンジ軸２３に連結された端部４１とは反対側のこのブラケット２５の端部に設けられている。第２の固定部３３と保持部３１との間には、表示装置８から離間して延びる第２の緩衝部４７が設けられている。
【００３１】
図９および図１０に示すように、ブラケット２５の先端部は、その一部がカバー１２の背壁１５に対向するように折れ曲がっている。このブラケット２５の先端部は、表示装置８から離れる側に折れ曲がっている。第２の固定部３３は、この折れ曲がったブラケット２５の先端部に設けられている。第２の固定部３３は、係合孔３３ａとねじ挿通孔３３ｂとを有する。カバー１２の背壁１５からは、第２の固定部３３に対向する係合突起５１とボス５２とが起立している。
【００３２】
係合突起５１は、第２の固定部３３の係合孔３３ａに対向している。係合突起５１に係合孔３３ａを係合させることで、ブラケット２５の取付位置が調整される。すなわちブラケット２５の位置決めがなされる。ボス５２には、第２の固定部３３のねじ挿通孔３３ｂに対向するねじ穴５２ａが形成されている。ねじ５３をねじ挿通孔３３ｂに挿通し、ねじ穴５２ａに係合させることで、第２の固定部３３はカバー１２に固定される。
【００３３】
ここで、ブラケット２５の第１および第２の固定部３２，３３が固定されるカバー１２の領域について説明する。図４に示すように、カバー１２内の領域は、第１ないし第３の領域５５，５６，５７に区分される。第１の領域５５は、表示装置８の背後に位置し、表示装置８の背面に対向する。第２の領域５６は、上周壁１６ａの第１の壁部１６ａａと表示装置８の第１の側面部８ａとの間、下周壁１６ｂの第１の壁部１６ｂａと表示装置８の第２の側面部８ｂとの間、左周壁１６ｃの第１の壁部１６ｃａと表示装置８の第３の側面部８ｃとの間、並びに、右周壁１６ｄの第１の壁部１６ｄａと表示装置８の第４の側面部８ｄとの間に形成される。
【００３４】
第３の領域５７は、第１の領域５５と第２の領域５６とを外れたディスプレイハウジング７の周縁部に形成される。すなわち、第３の領域５７は、周壁１６ａ，１６ｂ，１６ｃ，１６ｄの互いに隣り合ういずれか二つの第２の壁部１６ａｂ，１６ｂｂ，１６ｃｂ，１６ｄｂによって規定される領域である。さらに換言すれば、表示装置８の角部１０ａ，１０ｂ，１０ｃ，１０ｄとカバー１２の角部１７ａ，１７ｂ，１７ｃ，１７ｄとの間に形成される領域である。なお第３の領域５７は、カバー１２の背壁１５の一部のみならず、各周壁１６ａ，１６ｂ，１６ｃ，１６ｄの内周面の一部をも含む。
【００３５】
ブラケット２５の第１および第２の固定部３２，３３は、ともにカバー１２の第３の領域５７に固定される。すなわちブラケット２５は、表示装置８の外形より外側に延びた部分においてカバー１２に固定されている。
【００３６】
図５に示すように、ブラケット２５は、保持部３１の途中に第３の固定部３４を有する。第３の固定部３４は、表示装置８から離間するとともカバー１２の右周壁１６ｄに沿って延びている。図１１および図１２に示すように、第３の固定部３４は、係合孔３４ａとねじ孔３４ｂとを有する。カバー１２の右周壁１６ｄからは、第３の固定部３４の対向する係合突起６１とねじ挿通孔６２とが形成されている。係合突起６１は、係合孔３４ａに対向している。係合突起６１に係合孔３４ａを係合させることで、ブラケット２５の取付位置が調整される。すなわちブラケット２５の位置決めがなされる。
【００３７】
ねじ挿通孔６２は、第３の固定部３４のねじ孔３４ｂに対向している。ねじ６３がねじ挿通孔６２に挿通され、ねじ孔３４ｂに係合することで、第３の固定部３４はカバー１２に固定される。
【００３８】
第３の固定部３４の両端部には、一対の第３の緩衝部６４ａ，６４ｂが設けられている。第３の緩衝部６４ａ，６４ｂは、表示装置８の第４の側面部８ｄに交差する方向に沿って延びている。第３の緩衝部６４ａ，６４ｂは、それぞれ第３の固定部３４を保持部３１に繋げている。
【００３９】
図６に示すようにブラケット２５は、例えば第１部材７１と第２部材７２から構成される。第１部材７１は、上述の保持部３１を含めてブラケット２５の大部分を構成する。第２部材７２は、ブラケット２５の一端部に設けられている。第２部材７２は、第１部材７１に例えば溶接などで結合され、両者は一体である。
【００４０】
図８に示すように、第２部材７２は、第１ないし第３部分７２ａ，７２ｂ，７２ｃを有する。第２部材７２の第１部分７２ａは、カバー１２の右周壁１６ｄに沿うとともに、第１部材７１と協働してブラケット２５の第１の固定部３２を形成している。第２部材７２の第２部分７２ｂは、ヒンジ軸２３に対向するとともに、ヒンジ軸２３に例えば回動可能に連結されている。第２部材７２の第３部分７２ｃは、第１部分７２ａと第２部分７２ｂとの間に亘って延びるとともに、両者を繋げている。
【００４１】
ブラケット２５の第１部材７１の端部は、第２部材７２の第３部分７２ｃに沿って延びている。第１部材７１の先端部は、その一部がカバー１２の背壁１５に対向するように折れ曲がっている。ブラケット２５の第４の固定部３５は、この折れ曲がった先端部に設けられている。
【００４２】
第４の固定部３５は、カバー１２の第３の突出部１８ｃの内部に配置される。第４の固定部３５は、係合孔３５ａとねじ挿通孔３５ｂとを有する。第４の固定部３５に対向するカバー１２の背壁１５の領域からは、係合突起７４とボス７５が起立している。
【００４３】
係合突起７４は、第４の固定部３５の係合孔３５ａに対向している。係合突起７４に係合孔３５ａを係合させることで、ブラケット２５の取付位置が調整される。すなわちブラケット２５の位置決めがなされる。ボス７５には、ねじ挿通孔３５ｂに対向するねじ穴７５ａが形成されている。ねじ７６がブラケット２５のねじ挿通孔３５ｂに挿通され、ボス７５のねじ穴７５ａに係合することで、第４の固定部３５はカバー１２に固定される。
【００４４】
ブラケット２５の第１部材７１の肉厚の一例は、例えば１．０ｍｍである。ブラケット２５の第２部材７２の肉厚の一例は、例えば１．５ｍｍである。すなわち図６に示すように、ブラケット２５の保持部３１の肉厚は、ヒンジ軸２３に連結される端部４１の肉厚に比べて小さい。さらに言えば、第１の固定部３２と第２の固定部３３との間のブラケット２５の肉厚は、第１の固定部３２とヒンジ軸２３に連結された端部４１との間のブラケット２５の肉厚に比べて小さい。
【００４５】
すなわち、ブラケット２５のヒンジ軸２３に連結された端部４１と第１の固定部３２との間の部位は、高い機械的強度が与えられている。一方、ブラケット２５の第１の固定部３２と第２の固定部３３との間の部位は、高いばね性が与えられている。
【００４６】
図３および図５に示すように、カバー１２の背壁１５の第２の領域５６からは、それぞれ例えば複数個設けられた第１および第２のリブ８１，８２が起立している。第１のリブ８１は、表示装置８の第３および第４の側面部８ｃ，８ｄとカバー１２の左右周壁１６ｃ，１６ｄとの間に形成される。第２のリブ８２は、表示装置８の第１の側面部８ａとカバー１２の上周壁１６ａとの間に形成される。
【００４７】
第１および第２のリブ８１，８２は、表示装置８の側面部８ａ，８ｃ，８ｄに対向している。図１６に示すように、第１および第２のリブ８１，８２と表示装置８の側面部８ａ，８ｃ，８ｄとの間には緩衝部材８３が介在されている。緩衝部材８３の一例は、合成ゴムである。緩衝部材８３は、リブ８１，８２に取り付けられている。緩衝部材８３は、表示装置８に接していても、表示装置８との間に隙間を空けて表示装置８に対向していても良い。
【００４８】
図２に示すように、マスク１３は、カバー１２に組み合わされる。マスク１３は、表示装置８の表示画面９に対向している。窓部７ａは、マスク１３に形成されている。図２および図１３に示すように、マスク１３は、左右の周壁９１，９２を有する。図１５ないし図１７に示すように、カバー１２の左右周壁１６ｃ，１６ｄは、背壁１５の縁部からマスク１３の周壁９１，９２の厚さ分だけカバー１２の内側に入り込んだ位置に起立している。
【００４９】
マスク１３をカバー１２に組み付けると、左右周壁９１，９２はそれぞれカバー１２の左右周壁１６ｃ，１６ｄに外側から対向する。カバー１２の左右周壁１６ｃ，１６ｄはマスク１３の周壁９１，９１に覆われる。つまり図１７に示すように、カバー１２に形成された切欠き３９は、マスク１３の周壁９１，９２が覆い隠される。マスク１３の周壁９１，９２は、ブラケット２５の第１の固定部３２に取り付けられるねじ７６をも覆い隠す。
【００５０】
図１３および図１４に示すように、マスク１３の左右周壁９１，９２の内周面には、例えば複数の第１の係合爪９４が設けられている。一方、図５および図７、図９に示すように、カバー１２の左右周壁１６ｃ，１６ｄには、第１の係合爪９４に対応する第２の係合爪９５が設けられている。図１５に示すように、マスク１３をカバー１２に取り付けると、第１および第２の係合爪９４，９５が互いに係合する。これによりマスク１３はカバー１２に着脱自在に固定される。
【００５１】
次に、ポータブルコンピュータ１の組立ての一例について説明する。  
例えばまずブラケット２５をカバー１２に固定する。詳しくは、第２ないし第４の固定部３３，３４，３５の係合孔３３ａ，３４ａ，３５ａをカバー１２の係合突起５１，６１，７４に合わせ、ブラケット２５の取付位置の調整をする。ブラケット２５の取付位置の調整後、ねじ４４，５３，６３，７６によりブラケット２５の第１ないし第４の固定部３２，３３，３４，３５をカバー１２に固定する。
【００５２】
ブラケット２５をカバー１２に固定した後に、表示装置８をブラケット２５に固定する。詳しくは、表示装置８をカバー１２の背壁１５に載置するとともに、ねじ３８により表示装置８をブラケット２５に固定する。このとき、ねじ３８は左右周壁１６ｃ，１６ｄに形成された切欠き３９を通じてカバー１２の側方から取り付けられる。表示装置８をブラケット２５に固定することで、表示装置８はカバー１２に固定される。
【００５３】
表示装置８をカバー１２に固定した後に、マスク１３をカバー１２に組み合わせる。第１および第２の係合爪９４，９５を互いに係合させることで、マスク１３はカバー１２に固定される。これにより、表示ユニット３の組立てが完了する。
【００５４】
次に、ポータブルコンピュータ１の作用について説明する。  
ポータブルコンピュータ１を例えば誤って床や机の上に落としてしまった場合、衝突時にディスプレイハウジング７に衝撃が加わる。この衝撃により、表示装置８がディスプレイハウジングに対して上下方向または左右方向にズレようとする。表示装置８がズレようとすると、ばね性を有するブラケット２５が表示装置８の変位に伴なって変形する。ブラケット２５が変形することで、カバー１２に固定された第１ないし第４の固定部３２，３３，３４，３５と表示装置８との間に作用する衝撃荷重の一部が吸収される。
【００５５】
このような構成のポータブルコンピュータ１によれば、表示装置８へ伝わる衝撃を緩和することができ、ポータブルコンピュータ１の耐衝撃性が向上する。
【００５６】
ブラケット２５の第１ないし第２の固定部３２，３３は、カバー１２の第３の領域５７に固定されている。第３の固定部３４は、表示装置８から離間するとともにカバー１２の周壁１６に固定されている。第４の固定部３５は、カバー１２の第３の突出部１８ｃの内部に固定されている。すなわち、表示装置８のすぐ側方にはブラケット２５をカバー１２に固定するいかなる固定部もねじも存在しない。
【００５７】
ポータブルコンピュータ１を例えば誤って床や机の上に落としてしまった場合、衝撃荷重により表示装置８がディスプレイハウジング７内でズレようとする。表示装置８のすぐ側方にブラケット２５をカバー１２に固定する固定部が存在すると、表示装置８が変位できないため表示装置８とこの固定部との間に大きな応力が生じることになる。
【００５８】
一方本実施形態に係るポータブルコンピュータ１のように、表示装置８のすぐ側方にブラケット２５をカバー１２に固定するいかなる固定部もねじも存在しないと、表示装置８がディスプレイハウジング７内である程度自由に変位できる。
【００５９】
換言すれば、ブラケット２５をカバー１２に固定する固定部３２，３３，３４，３５とブラケット２５を表示装置８に固定する保持部３１との間の部分が変形し衝撃荷重の一部を吸収することで、衝撃荷重が緩和された状態で表示装置８に伝わる。これにより表示装置８が破損するおそれが低減する。
【００６０】
例えば、ブラケット２５の固定部３２，３４がカバー１２の周壁１６に固定されていると効果がある。カバー１２の周壁１６は、カバー１２内で表示装置８から最も離れた領域の一つである。このカバー１２の周壁１６にブラケット２５を固定することで、ブラケット２５の固定部３２，３４と表示装置８との間に緩衝部となる部位を大きく確保することができる。
【００６１】
さらに表示装置８に横ズレが生じても、カバー１２の周壁１６はディスプレイハウジング７内で表示装置８から最も離れた領域の一つであるので、表示装置８がこの固定部３２，３３のねじ４４，６３などに接触するおそれが小さく、表示装置８に大きな応力が加わることが抑制される。
【００６２】
例えばブラケット２５の固定部３３，３５をカバー１２の背壁１５に固定する場合、周壁１６に固定する場合に比べてこの固定部３３，３５と表示装置８との間の距離が小さくなる。ただしカバー１２の第３の突出部１８ｃに第４の固定部３５を固定することで、第４の固定部３５と表示装置８との間に距離を確保することができる。ただし第４の固定部３５を固定する部位は、第３の突出部１８ｃに限らない。例えばインバータ１９などを収容するカバー１２の下端部は比較的スペースが確保されるので、例え第４の固定部３５を第３の突出部１８ｃからはみ出した位置に固定しても表示装置８から十分に離すことができる。
【００６３】
ブラケット２５の第２の固定部３３は、カバー１２の第３の領域５７に位置する背壁１５に固定される。例えば表示装置８がカバー１２の上下方向（すなわち下周壁１６ｂから上周壁１６ａを向く方向とその反対の方向）に沿って横ズレを起こした場合、表示装置８は、第２の固定部３３のねじ５３などに接触することが無く、表示装置８と第２の固定部３３との間に大きな衝撃荷重は作用しない。
【００６４】
一方、例えば表示装置８がカバー１２の左右方向（すなわち左周壁１６ｃから右周壁１６ｄを向く方向とその反対の方向）に沿って横ズレを起こした場合も同様に、表示装置８は、第２の固定部３３のねじ５３などに接触することが無く、表示装置８と第２の固定部３３との間に大きな衝撃荷重は作用しない。
【００６５】
すなわちブラケット２５をカバー１２の第３の領域５７に固定することで、例え背壁１５に固定する場合であっても表示装置８に大きな衝撃荷重が作用することを抑制することができる。ブラケット２５を背壁１５の第３の領域５７に固定することは、スペースに余裕の少ないディスプレイハウジング７の上端部において表示装置８とねじなどとの接触を回避する上で有効である。
【００６６】
ブラケット２５を背壁１５に固定できる、すなわち背壁１５に直交する方向に沿ってねじ５３を留めることができることは、ねじ止めの作業性を向上させる。これはポータブルコンピュータ１の組立性の向上に寄与する。
【００６７】
本実施形態に係るブラケット２５を別の観点から見ると、ブラケット２５がばね性を有することで、表示装置８へ伝わる衝撃を緩和することができる。すなわち、表示装置８がズレようとすると、ブラケット２５が表示装置８の変位に伴なって変形する。ブラケット２５が変形することで表示装置８に加わる衝撃荷重の一部が吸収される。
【００６８】
ブラケット２５は、表示装置８をディスプレイハウジング７に固定するという機能と、ヒンジ軸２３に連結されディスプレイハウジング７の剛性を補強するという機能との２つの機能を併せ持つ。したがって従来それぞれの機能に応じて別々に設けられていた二つのブラケットが、一つのブラケット２５で代替されることになる。これはポータブルコンピュータ１の組立性の向上、小型化、およびコストダウンに寄与する。
【００６９】
ここで、ブラケット２５の保持部３１の肉厚がヒンジ軸２３に連結されるブラケット２５の端部４１の肉厚に比べて小さく形成されていると、上記ブラケットの端部４１にヒンジブラケットとして必要なトルク強度を与えるとともに、表示装置８の変位に伴なう変形を可能にするばね性をブラケット２５に与えることができる。
【００７０】
例えば第１の固定部３２と上記端部４１との間のブラケット２５の肉厚が保持部３１の肉厚に比べて大きければ、大きなトルクが作用するブラケット２５の下端部４１をカバー１２に強固に固定することができる。例えば第１および第２の固定部３２，３３の間のブラケット２５の肉厚が薄く形成されていれば、ブラケット２５は第１および第２の固定部３２，３３の間でより高いばね性を有する。すなわちブラケット２５は、表示装置８の横ズレに伴なって効果的に衝撃荷重を吸収することができる。
【００７１】
ブラケット２５の第１の固定部３２が、ヒンジ軸２３に連結された端部４１と保持部３１との間に位置するとともに、第２の固定部３３がブラケット２５の他の端部に設けられると、保持部３１がカバー１２に強固に支持される。さらに第１および第２の固定部３２，３３の間の間隔が離れていると衝撃荷重に対する耐力が向上し、さらに表示装置８を取り付ける取付精度が向上する。ブラケット２５がヒンジ軸２３の軸方向に直交する方向に沿って延びていると、ヒンジ軸２３を中心とする表示ユニット３の回動動作に伴うカバー１２に作用するトルクに対してカバー１２を十分に補強することができる。
【００７２】
表示装置８の側面部８ｃ，８ｄに直交する方向に沿ってねじ３８を取り付けることができると、表示装置８として側面部にねじ穴を有する規格品を採用することができる。周壁１６ｃ，１６ｄが切欠き３９を有すると、カバー１２にすでに取り付けられたブラケット２５に対して表示装置８を容易にねじ止めすることができる。マスク１３の周壁９１，９２が切欠き３９を覆い隠すと、ポータブルコンピュータ１の外観上の見栄えが向上する。さらにポータブルコンピュータ１によれば、マスク１３の周壁９１，９２にねじ孔を設ける必要が無くなり、例えばこのねじ孔を塞ぐシールなどを省略することができる。
【００７３】
ブラケット２５が第３の固定部３４を有すると、表示ユニット３の回動動作中にブラケット２５が周壁１６から外れて離れてしまうおそれが小さくなる。リブ８１，８２が設けられ、リブ８１，８２と表示装置８との間に緩衝部材８３が設けられていると、表示装置８に加わる衝撃荷重の一部が緩衝部材８３に吸収される。これによりポータブルコンピュータ１の耐衝撃性が向上する。
【００７４】
ブラケット２５の第３の固定部３４は、カバー１２にねじ止めされる。ここでブラケット２５は、ばね性を有し、外力が作用した状態では例えば撓んでいるため、例えばブラケット２５のねじ孔３４ｂとカバー１２のねじ挿通孔６２とが互いにずれてしまうおそれがある。
【００７５】
例えば本実施形態に係るポータブルコンピュータ１は、周壁１６ｄに係合突起６１が設けられるとともにブラケット２５に係合孔３４ａが設けられている。このような構成によれば、係合孔３４ａを突起６１に係合させることでブラケット２５の位置決めを容易に行なうことができる。すなわち係合孔３４ａを突起６１に係合させることで、ブラケット２５のねじ孔３４ｂとカバー１２のねじ挿通孔６２とを互いに一致させることができる。したがって、ポータブルコンピュータ１の組立性が向上する。他の係合孔３３ａ，３５ａおよび係合突起５１，７４の効果も同様である。
【００７６】
次に、本発明の第２の実施形態に係る電子機器としてのポータブルコンピュータ１０１を、図１８を参照して説明する。なお第１の実施形態に係るポータブルコンピュータ１と同じ機能を有する構成は、同一の符号を付してその説明を省略する。
【００７７】
ポータブルコンピュータ１０１は、ブラケット１０２を有する。図１８に示すようにブラケット１０２は、第１の実施形態に係るブラケット２５の第１および第２部材７１，７２を有する代わりに、第１および第２部材と同一の機能を有する構成が一つの部材としてが一体成形されている。このようなポータブルコンピュータ１０１によっても、第１の実施形態に係るポータブルコンピュータ１と同じ効果を得ることができる。
【００７８】
次に、本発明の第３の実施形態に係る電子機器としてのポータブルコンピュータ１１１を、図１９を参照して説明する。なお第１の実施形態に係るポータブルコンピュータ１と同じ機能を有する構成は、同一の符号を付してその説明を省略する。
【００７９】
ポータブルコンピュータ１１１は、第３の固定部３４を有する。第３の固定部３４は、係合孔３４ａを有する。カバー１２の右周壁１６ｄには係合突起６１が突出している。ただし第３の固定部３４には、ねじ挿入孔、およびねじ孔は設けられておらず、ねじ止めされない。
【００８０】
このように第３の固定部３４のねじ止めを省略しても、ブラケット２５は、第１、第２および第４の固定部３２，３３，３５に固定されている。このため、このようなポータブルコンピュータ１１１によっても、第１の実施形態に係るポータブルコンピュータ１と同じ効果を得ることができる。さらにブラケット２５の第３の固定部３４の係合孔３４ａがカバー１２の係合突起６１に係合すると、ブラケット２５は、突起６１の突出方向に直交する方向に沿っては固定される。すなわち係合孔３４ａと突起６１とを設けることで、ブラケット２５がカバー１２から外れにくくなる。
【００８１】
ポータブルコンピュータ１１１によれば、ブラケット２５は、第３の領域５７に位置する第１および第２の固定部３２，３３、ならびに第３の突出部１８ｃに位置する第４の固定部３５によりカバー１２に固定される。これにより、表示装置８が左右方向に横ズレが生じたとしても、表示装置８は第３の固定部３４のねじに接触するおそれが無く、耐衝撃性の向上にさらに寄与する。なお、ブラケット２５に代えて、第２の実施形態に係るブラケット１０２を本実施形態に係るポータブルコンピュータ１１１に採用しても良い。
【００８２】
以上、第１ないし第３の実施形態に係るポータブルコンピュータ１について説明したが、本発明の実施の形態はこれらに限定されない。例えば、ブラケット２５が必要なトルク強度とばね性を有するように形成されていれば、ブラケット２５の肉厚は均一であっても良い。ブラケット２５によるばね性だけで十分な耐衝撃性が確保される場合は、リブ８１，８２および緩衝部材８３は省略可能である。第１および第２の固定部３２，３３によりブラケット２５が十分カバー１２に固定されれば、第３の固定部３４は無くても良い。表示装置８を固定するねじは、必ずしもカバー１２の側方から取り付ける必要はない。本発明が適用可能な電子機器は、ポータブルコンピュータに限られない。
【図面の簡単な説明】
【００８３】
【図１】本発明の第１の実施形態に係るポータブルコンピュータの斜視図。
【図２】第１の実施形態に係る表示ユニットを分解して示す斜視図。
【図３】第１の実施形態に係るカバーとブラケットの斜視図。
【図４】第１の実施形態に係る表示ユニット内部を模式的に示す平面図。
【図５】第１の実施形態に係る表示ユニット内部の右端部の平面図。
【図６】第１の実施形態に係るブラケットの平面図。
【図７】図５中に示された一点鎖線Ａで囲まれた表示ユニット内部の斜視図。
【図８】図５中に示された一点鎖線Ａで囲まれた表示ユニット内部の平面図。
【図９】図５中に示された一点鎖線Ｂで囲まれた表示ユニット内部の斜視図。
【図１０】図５中に示された一点鎖線Ｂで囲まれた表示ユニット内部の平面図。
【図１１】図５中に示された一点鎖線Ｃで囲まれた表示ユニット内部の斜視図。
【図１２】図５中に示された一点鎖線Ｃで囲まれた表示ユニット内部の平面図。
【図１３】第１の実施形態に係るマスクの斜視図。
【図１４】図１３中に示されたマスクの一点鎖線Ｄで囲まれた領域の斜視図。
【図１５】図５中に示されたＦ１５−Ｆ１５線に沿う表示ユニットの断面図。
【図１６】図５中に示されたＦ１６−Ｆ１６線に沿う表示ユニットの断面図。
【図１７】図５中に示されたＦ１７−Ｆ１７線に沿う表示ユニットの断面図。
【図１８】本発明の第２の実施形態に係る表示ユニット内部の平面図。
【図１９】本発明の第３の実施形態に係る表示ユニット内部の平面図。
【符号の説明】
【００８４】
１，１０１，１１１…ポータブルコンピュータ、４…本体筐体、７…ディスプレイハウジング、８…表示装置、８ａ，８ｂ，８ｃ，８ｄ…側面部、９…表示画面、１２…カバー、１３…マスク、１５…背壁、１６ａ，１６ｂ，１６ｃ，１６ｄ…周壁、２１ａ．２１ｂ…ヒンジ機構、２３…ヒンジ軸、２５，１０２…ブラケット、３１…保持部、３２，３３，３４，３５…固定部、５５…第１の領域、５６…第２の領域、５７…第３の領域、８１．８２…リブ、８３…緩衝部材、９１．９２…マスク周壁。
【図１】
2007328613.tif 000003
【図２】
2007328613.tif 000004
【図３】
2007328613.tif 000005
【図４】
2007328613.tif 000006
【図５】
2007328613.tif 000007
【図６】
2007328613.tif 000008
【図７】
2007328613.tif 000009
【図８】
2007328613.tif 000010
【図９】
2007328613.tif 000011
【図１０】
2007328613.tif 000012
【図１１】
2007328613.tif 000013
【図１２】
2007328613.tif 000014
【図１３】
2007328613.tif 000015
【図１４】
2007328613.tif 000016
【図１５】
2007328613.tif 000017
【図１６】
2007328613.tif 000018
【図１７】
2007328613.tif 000019
【図１８】
2007328613.tif 000020
【図１９】
2007328613.tif 000021